(57)【要約】【課題】  本発明の課題は、外的な要因による意匠の劣化を防止することができ、また、視認者に高級な質感を与えることができ、さらに、製造コストをさらに低く抑えることができる空気調和機の外装部材を提供することにある。【解決手段】  空気調和機の外装部材２４ａ，２５ａ，２６ａを、アクリル樹脂と着色粉体とを着色粉体が全重量に対して０．０１ｗｔ％以上２ｗｔ％以下になるように混合して得られる特定着色アクリル樹脂から成形する。【選択図】      図６
2006206733.tif 000002
【特許請求の範囲】
【請求項１】
アクリル樹脂と着色粉体とを前記着色粉体が全重量に対して０．０１ｗｔ％以上２ｗｔ％以下になるように混合して得られる特定着色アクリル樹脂を成形して成る、空気調和機の外装部材（２４ａ，２５ａ，２６ａ）。
【請求項２】
前記アクリル樹脂は、ポリメタクリル酸メチル樹脂である、
請求項１に記載の空気調和機の外装部材（２４ａ，２５ａ，２６ａ）。
【請求項３】
前記着色粉体は、二酸化チタンである、
請求項１または２に記載の空気調和機の外装部材（２４ａ，２５ａ，２６ａ）。
【請求項４】
着色粉体とアクリル樹脂とを前記着色粉体が全重量に対して０．０１ｗｔ％以上２ｗｔ％以下となるように混合して特定着色アクリル樹脂を調製する特定着色アクリル樹脂調製工程と、
前記特定着色アクリル樹脂を空気調和機の外装部材に成形加工する外装部材形成工程と、
を備える、空気調和機の外装部材（２４ａ，２５ａ，２６ａ）の製造方法。
【請求項５】
前記アクリル樹脂に対して前記着色粉体の表面を改質する粉体表面改質工程をさらに備え、
前記特定着色アクリル樹脂調製工程では、前記粉体表面改質工程において表面改質された前記着色粉体と、前記アクリル樹脂とが、前記着色粉体が全重量に対して０．０１ｗｔ％以上２ｗｔ％以下となるように混合されて特定着色アクリル樹脂が調製される、
請求項４に記載の空気調和機の外装部材（２４ａ，２５ａ，２６ａ）の製造方法。
【発明の詳細な説明】
【技術分野】
【０００１】
本発明は、空気調和機の外装部材（例えば、フロントパネル、前面グリル、および底フレーム等の部材）に関する。
【背景技術】
【０００２】
過去に、「空気調和機のケーシングを透明樹脂から形成し、ケーシングの裏側に意匠を施す」という発明が開示されている（例えば、特許文献１参照）。この発明によれば、外的な要因による意匠の劣化を防止することができる。また、この発明によれば、意匠が透明樹脂を介して視認されるため、意匠に光沢性が付与され、視認者に高級な質感を与えることができる。
【特許文献１】特開２００４−１８４０５１号公報
【発明の開示】
【発明が解決しようとする課題】
【０００３】
本発明の課題は、上記と同様の効果を奏し、かつ、製造コストをさらに低く抑えることができる空気調和機の外装部材を提供することにある。
【課題を解決するための手段】
【０００４】
第１発明に係る空気調和機の外装部材は、特定着色アクリル樹脂から成形される。なお、ここにいう「特定着色アクリル樹脂」とは、アクリル樹脂と着色粉体とを、着色粉体が全重量に対して０．０１ｗｔ％以上２ｗｔ％以下になるように混合して得られるものをいう。なお、ここで、着色粉体が全重量に対して０．０１ｗｔ％未満であれば、外装部材の着色が十分になされない。また、着色粉体が全重量に対して２ｗｔ％を超えると、所望の光沢性が得られない。
【０００５】
従来の外装部材の製造工程は、主に、透明な外装部材を成形する成形工程と、成形工程において成形された透明の外装部材の裏側に色彩を施す色彩付与工程とから成っていた。これに対し、本発明に係る外装部材の製造工程は、主に、特定着色アクリル樹脂を調製する特定着色アクリル樹脂調製工程と、特定着色アクリル樹脂を外装部材に成形加工する成形加工工程とから成る。前者の製造工程では、色彩付与工程において多量の塗料が必要となる。また、前者の製造工程では、通常、色彩付与工程がバッチ作業となる。しかし、後者の製造工程では、少量の着色粉体をアクリル樹脂に混入させるだけで外装部材の着色が可能である。また、後者の製造工程において、特定着色アクリル樹脂調製工程では、特定着色アクリル樹脂を一度に大量に調製することができるし、設備投資を行えば特定着色アクリル樹脂を連続的に調製することも可能である。したがって、この空気調和機の外装部材は、従来の外装部材に比べて安価に得ることができる。また、この空気調和機の外装部材は、特定着色アクリル樹脂から成形される。このため、この空気調和機の外装部材には、色彩とともに光沢性が付与される。また、この空気調和機の外装部材では、色彩を付与する着色粉体がアクリル樹脂に内包されるため、外的な要因による色彩の劣化が防止される。したがって、この空気調和機の外装部材は、外的な要因による意匠の劣化を防止することができ、また、視認者に高級な質感を与えることができ、さらに、製造コストをさらに低く抑えることができる。
【０００６】
第２発明に係る空気調和機の外装部材は、第１発明に係る空気調和機の外装部材であって、アクリル樹脂は、ポリメタクリル酸メチル樹脂である。
この空気調和機の外装部材では、アクリル樹脂が、ポリメタクリル酸メチル樹脂である。このため、この空気調和機の外装部材は、最高レベルの光沢性を獲得することができる。
【０００７】
第３発明に係る空気調和機の外装部材は、第１発明または第２発明に係る空気調和機の外装部材であって、着色粉体は、二酸化チタンである。
この空気調和機の外装部材では、着色粉体が、二酸化チタンである。このため、この空気調和機の外装部材は、純白で高級感のあるものとなることができる。
第４発明に係る空気調和機の外装部材の製造方法は、特定着色アクリル樹脂調製工程および外装部材形成工程を備える。特定着色アクリル樹脂調製工程では、着色粉体とアクリル樹脂とが、着色粉体が全重量に対して０．０１ｗｔ％以上２ｗｔ％以下となるように混合されて特定着色アクリル樹脂が調製される。なお、ここで、着色粉体が全重量に対して０．０１ｗｔ％未満であれば、外装部材の着色が十分になされない。また、着色粉体が全重量に対して２ｗｔ％を超えると、所望の光沢性が得られない。外装部材形成工程では、特定着色アクリル樹脂が空気調和機の外装部材に成形加工される。
【０００８】
従来の外装部材の製造工程は、主に、透明な外装部材を成形する成形工程と、成形工程において成形された透明の外装部材の裏側に色彩を施す色彩付与工程とから成っていた。これに対し、本発明に係る外装部材の製造工程は、主に、特定着色アクリル樹脂調製工程と、外装部材形成工程とから成る。前者の製造工程では、色彩付与工程において多量の塗料が必要となる。また、前者の製造工程では、通常、色彩付与工程がバッチ作業となる。しかし、後者の製造工程では、少量の着色粉体をアクリル樹脂に混入させるだけで外装部材の着色が可能である。また、後者の製造工程において、特定着色アクリル樹脂調製工程では、特定着色アクリル樹脂を一度に大量に調製することができるし、設備投資を行えば特定着色アクリル樹脂を連続的に調製することも可能である。したがって、この空気調和機の外装部材は、従来の外装部材に比べて安価に得ることが可能である。また、この空気調和機の外装部材は、特定着色アクリル樹脂から成形される。このため、この空気調和機の外装部材には、色彩とともに光沢性が付与される。また、この空気調和機の外装部材では、色彩を付与する着色粉体がアクリル樹脂に内包されるため、外的な要因による色彩の劣化が防止される。したがって、この空気調和機の外装部材の製造方法では、外的な要因による意匠の劣化を防止することができ、また、視認者に高級な質感を与えることができる空気調和機の外装部材を製造することができるとともに、外装部材の製造コストをさらに低く抑えることができる。
【０００９】
第５発明に係る空気調和機の外装部材の製造方法は、第４発明に係る空気調和機の外装部材の製造方法であって、粉体表面改質工程をさらに備える。粉体表面改質工程では、アクリル樹脂に対して着色粉体の表面が改質される。そして、特定着色アクリル樹脂調製工程では、粉体表面改質工程において表面改質された着色粉体と、アクリル樹脂とが、着色粉体が全重量に対して０．０１ｗｔ％以上２ｗｔ％以下となるように混合されて特定着色アクリル樹脂が調製される。
【００１０】
この空気調和機の外装部材の製造方法が実施されると、粉体表面改質工程で、アクリル樹脂に対して着色粉体の表面が改質される。そして、特定着色アクリル樹脂調製工程で、粉体表面改質工程において表面改質された着色粉体と、アクリル樹脂とが、着色粉体が全重量に対して０．０１ｗｔ％以上２ｗｔ％以下となるように混合されて特定着色アクリル樹脂が調製される。このため、この空気調和機の外装部材の製造方法では、着色粉体を良好に融解アクリル樹脂中に分散させることができる。したがって、この空気調和機の外装部材の製造方法では、外装部材の色ムラ等の発生を防止することができる。
【発明の効果】
【００１１】
第１発明に係る空気調和機の外装部材は、外的な要因による意匠の劣化を防止することができ、また、視認者に高級な質感を与えることができ、さらに、製造コストをさらに低く抑えることができる。
第２発明に係る空気調和機の外装部材は、最高レベルの光沢性を獲得することができる。
【００１２】
第３発明に係る空気調和機の外装部材は、純白で高級感のあるものとなることができる。
第４発明に係る空気調和機の外装部材の製造方法では、外的な要因による意匠の劣化を防止することができ、また、視認者に高級な質感を与えることができる空気調和機の外装部材を製造することができるとともに、外装部材の製造コストをさらに低く抑えることができる。
【００１３】
第５発明に係る空気調和機の外装部材の製造方法では、着色粉体を良好に融解アクリル樹脂中に分散させることができる。したがって、この空気調和機の外装部材の製造方法では、外装部材の色ムラ等の発生を防止することができる。
【発明を実施するための最良の形態】
【００１４】
〔空気調和機の全体構成〕
本発明の実施の形態が採用された空気調和機１の外観を図１に示す。
この空気調和機１は、室内の壁面に取り付けられる壁掛け型の室内機２と、室外に設置される室外機３とを備えている。
室内機２内には室内熱交換器が収納され、室外機３内には室外熱交換器が収納されており、各熱交換器が冷媒配管４により接続されることにより冷媒回路を構成している。
【００１５】
〔空気調和機の冷媒回路の構成概略〕
空気調和機１の冷媒回路の構成を図２に示す。この冷媒回路は、主として室内熱交換器２０、アキュムレータ３１、圧縮機３２、四路切換弁３３、室外熱交換器３０及び電動膨張弁３４で構成される。
室内機２に設けられている室内熱交換器２０は、接触する空気との間で熱交換を行う。また、室内機２には、室内空気を吸い込んで室内熱交換器２０に通し熱交換が行われた後の空気を室内に排出するためのクロスフローファン２１が設けられている。クロスフローファン２１は、円筒形状に構成され、周面には回転軸方向に羽根が設けられているものであり、回転軸と交わる方向に空気流を生成する。このクロスフローファン２１は、室内機２内に設けられる室内ファンモータ２２によって回転駆動される。室内機２の詳細な構成については後に説明する。
【００１６】
室外機３には、圧縮機３２と、圧縮機３２の吐出側に接続される四路切換弁３３と、圧縮機３２の吸入側に接続されるアキュムレータ３１と、四路切換弁３３に接続された室外熱交換器３０と、室外熱交換器３０に接続された電動膨張弁３４とが設けられている。電動膨張弁３４は、フィルタ３５および液閉鎖弁３６を介して配管４１に接続されており、この配管４１を介して室内熱交換器２０の一端と接続される。また、四路切換弁３３は、ガス閉鎖弁３７を介して配管４２に接続されており、この配管４２を介して室内熱交換器２０の他端と接続されている。この配管４１，４２は、図１の冷媒配管４に相当する。また、室外機３には、室外熱交換器３０での熱交換後の空気を外部に排出するためのプロペラファン３８が設けられている。このプロペラファン３８は、ファンモータ３９によって回転駆動される。
【００１７】
〔室内機の構成〕
図３に室内機２の側面断面図を示す。
室内機２は、上述したクロスフローファン２１や室内熱交換器２０等と、これらを収容する室内機ケーシング２３ａとを備えている。
クロスフローファン２１は、室内ファンモータ２２によって中心軸周りに回転駆動されることにより、吸込み口２５１から取り込まれ室内熱交換器２０を通り吹出し口２５２から室内へと吹き出す空気流を生成する。クロスフローファン２１は、側面視において室内機２の概ね中央に位置している。
【００１８】
室内熱交換器２０は、クロスフローファン２１の前方、上方および後部上方を取り囲むように取り付けられている。室内熱交換器２０は、クロスフローファン２１の駆動により吸込み口２５１から吸い込まれた空気をクロスフローファン２１側に通過させ、伝熱管の内部を通過する冷媒との間で熱交換を行わせる。室内熱交換器２０は、側面視において概ね逆Ｖ字型の断面形状を有している。
【００１９】
（室内機ケーシングの構成）
室内機ケーシング２３ａは、主として、底フレーム２４、前面グリル２５ａおよびフロントパネル２６ａにより構成されている。
底フレーム２４は、室内機２の背面を構成しており、室内熱交換器２０およびクロスフローファン２１の後方を覆っている。
【００２０】
前面グリル２５ａは、室内機２の天面、側面、下面を覆うように形成されており、前面グリル２５ａの前面にはフロントパネル２６ａが取り付けられる（図４参照）。前面グリル２５ａの天面には、複数のスリット状の開口からなる吸込み口２５１が設けられている。吸込み口２５１は、前面グリル２５ａの天面の略全体に亘って設けられている。前面グリル２５ａの下面の前側には、室内機２の長手方向に沿う開口からなる吹出し口２５２が設けられている。また、吹出し口２５２には、室内へと吹出す空気が案内される水平フラップ２５３が設けられている。この水平フラップ２５３は、室内機２の長手方向に平行な軸を中心に回動自在に設けられている。水平フラップ２５３は、フラップモータ（図示せず）によって回動することにより、吹出し口２５２の開閉を行うことができる。
【００２１】
フロントパネル２６ａは、室内機２の前面に配置されている。フロントパネル２６ａは、前面グリル２５ａとは別体に形成されており、前面グリル２５ａの前面を覆うように取り付けられている。フロントパネル２６ａの表側は、中央に水平に設けられた段差によって上下に分かれた２つの面によって構成されているが、各面は概ね平坦に形成されており、凹凸および穴やスリットなどの開口部のない滑らかな表面となっている。また、段差部分は平面的な開口となっており、この開口からも室内の空気が吸い込まれる（図３の白抜き矢印Ａ１参照）。
【００２２】
前面グリル２５ａの前面には、開口２５４が設けられている。前面グリル２５ａの前面とフロントパネル２６ａとの間に各種のフィルタ５０，５１，５２が取り付けられることにより、この開口２５４がフィルタ５０，５１，５２に覆われる。このフィルタ５０，５１，５２には、エアフィルタ５０、空気清浄フィルタ５１および光触媒フィルタ５２がある。
【００２３】
エアフィルタ５０は、塵や埃を通過する空気から除去することができる。エアフィルタ５０は、前面グリル２５ａの前面から天面までを覆うように設けられている。エアフィルタ５０のうち前面グリル２５ａの天面に位置する部分は、天面の吸込み口２５１のすぐ内側に位置している。
空気清浄フィルタ５１は、前面グリル２５ａの前面上部であって、エアフィルタ５０の内側に設けられる。空気清浄フィルタ５１は、エアフィルタ５０よりも細かい埃やタバコの煙、花粉等を通過する空気から除去することができる。
【００２４】
光触媒フィルタ５２は、前面グリル２５ａの前面下部に設けられており、通過する空気から臭気成分や有害ガス等を除去することが出来る。臭気成分とは、例えば、ホルムアルデヒド、アセトアルデヒド、アンモニア、硫化水素等であり、タバコ、生ゴミ、建築材等から生じる悪臭の原因となる成分である。有害ガスとは、ＮＯｘやＳＯｘ等、車の排気ガス等に含まれている有害な成分である。光触媒フィルタ５２は、ハニカム構造を有するシート状に形成されており、主として酸化チタンにより構成される光触媒を含有している。光触媒は、光によって強力な酸化力を発揮し、臭気成分や有害ガスを分解して無害化することができる。
【００２５】
〔室内機の製造方法〕
次に上記の室内機２を製造するための製造方法を説明する。
この空気調和機１の室内機２の製造方法は、図５に示すように、主として、室内機ケーシング２３ａの製造工程Ｓ１、他の構成部品の製造工程Ｓ２、および組立工程Ｓ３から構成されている。
【００２６】
室内機ケーシング２３ａの製造工程Ｓ１は、図６に示すように、主として、着色メタクリル酸メチル樹脂の調製工程Ｓ１０、および前面グリル２５ａ、底フレーム２４、およびフロントパネル２６ａの成形加工工程Ｓ１１から構成されている。
着色メタクリル酸メチル樹脂の調製工程Ｓ１０は、図６に示すように、主として、二酸化チタン粉体の表面改質工程Ｓ１００、ポリメタクリル酸メチル樹脂の加熱融解工程Ｓ１０１、二酸化チタン粉体とポリメタクリル酸メチル樹脂との混合工程Ｓ１０２、ペレット化工程Ｓ１０３、およびペレット混合工程Ｓ１０４から構成されている。
【００２７】
二酸化チタン粉体の表面改質工程Ｓ１００では、二酸化チタン粉体が分散剤（コーティング樹脂）により表面改質される（以下、この工程Ｓ１００において表面改質された二酸化チタン粉体を「改質粉体」という）。具体的には、分散剤溶液（コーティング樹脂の希薄溶液）中に二酸化チタン粉体が添加され、十分攪拌混合された後に溶媒が加熱除去される。ポリメタクリル酸メチル樹脂の加熱融解工程Ｓ１０１では、ポリメタクリル酸メチル樹脂が加熱融解される（以下、この工程Ｓ１０１において加熱融解されたポリメタクリル酸メチル樹脂を「融解樹脂」という）。なお、加熱温度は、解重合温度および融解粘度などを考慮して決定される。二酸化チタン粉体とポリメタクリル酸メチル樹脂との混合工程Ｓ１０２では、融解樹脂と改質粉体とが攪拌混合される。なお、改質粉体は、全重量に対して２０ｗｔ％になるように融解樹脂と混合される。また、改質粉体は、融解樹脂に徐々に添加していくのが好ましい。ペレット化工程Ｓ１０３では、改質粉体が混合分散された融解樹脂がペレット化される（以下、この工程Ｓ１０３で調製されたペレットを一次ペレットという）。ペレット混合工程Ｓ１０４では、一次ペレットとポリメタクリル酸メチル樹脂のペレットとが混合される（以下、この工程Ｓ１０４において混合されたペレットを「特定着色ペレット」という）。なお、このとき、ポリメタクリル酸メチル樹脂のペレットは、一次ペレット中の改質粉体が全重量に対して１ｗｔ％になるように一次ペレットと混合される。
【００２８】
前面グリル２５ａ、底フレーム２４、およびフロントパネル２６ａの成形加工工程Ｓ１１では、特定着色ペレットが、加熱融解された後、前面グリル２５ａ、底フレーム２４、およびフロントパネル２６ａの専用金型それぞれに流し込まれ、所定の形状に成形加工される。
他の構成部品の製造工程Ｓ２では、上記の室内熱交換器２０、クロスフローファン２１、各種のフィルタ５０，５１，５２などがそれぞれ製造される。
【００２９】
組立工程Ｓ３では、上記の構成部品が組み立てられて、室内機２が完成する。
〔本発明の実施の形態に係る空気調和機の特徴〕
（１）
本実施の形態に係る空気調和機１では、室内機２の前面グリル２５ａ、底フレーム２４、およびフロントパネル２６ａが、ポリメタクリル酸メチル樹脂に１ｗｔ％の二酸化チタンが混合分散されたものから成形加工される。このため、本実施の形態に係る空気調和機１のケーシング部品２４，２５ａ，２６ａは、高い光沢性を有し、視認者に高級な質感を印象づけることができる。また、本実施の形態に係る空気調和機１のケーシング部品２４，２５ａ，２６ａでは、外的な要因による意匠の劣化が防止される。
【００３０】
（２）
本実施の形態に係る空気調和機１では、ケーシング部品２４，２５ａ，２６ａの形成素材としてポリメタクリル酸メチル樹脂が採用される。このため、本実施の形態に係る空気調和機１のケーシング２３ａは、最高レベルの光沢性を有することができる。
（３）
本実施の形態に係る空気調和機１では、着色粉体として二酸化チタン粉体が採用される。このため、本実施の形態に係る空気調和機１のケーシング２３ａは、純白で高級感のあるものとなる。
【００３１】
（４）
本実施の形態に係る空気調和機１のケーシング部品２４，２５ａ，２６ａは、主として、着色ポリメタクリル酸メチル樹脂の調製工程Ｓ１０および成形加工工程Ｓ１１を経て製造される。これに対して、従来のケーシング部品２４，２５ａ，２６ａは、主として、アクリル樹脂からケーシング部品２４，２５ａ，２６ａを成形する成形工程と、成形工程において成形されたケーシング部品２４，２５ａ，２６ａの裏側に色彩を施す色彩付与工程を経て製造されていた。後者の製造工程では、色彩付与工程において多量の塗料が必要となる。また、後者の製造工程では、通常、色彩付与工程がバッチ作業となる。しかし、前者の製造工程では、少量の着色粉体をアクリル樹脂に混入させるだけでケーシング部品２４，２５ａ，２６ａの着色が可能である。また、前者の製造工程において、着色ポリメタクリル酸メチル樹脂の調製工程Ｓ１０では、特定着色ペレットを一度に大量に調製することができるし、設備投資を行えば特定着色ペレットを連続的に調製することも可能である。したがって、この空気調和機１のケーシング部品２４，２５ａ，２６ａは、従来のケーシング部品に比べて安価に得ることができる。
【００３２】
（５）
本実施の形態に係る空気調和機１のケーシング部品２４，２５ａ，２６ａの製造工程には、二酸化チタン粉体の表面改質工程Ｓ１００が含まれている。このため、本実施の形態に係る空気調和機１のケーシング部品２４，２５ａ，２６ａの製造工程では、二酸化チタン粉体を良好に融解樹脂中に分散させることができる。したがって、この製造工程では、ケーシング部品２４，２５ａ，２６ａに色ムラ等が発生するのを防止することができる。
【００３３】
〔他の実施形態〕
（Ａ）
先の実施の形態では、二酸化チタン粉体が全重量に対して１ｗｔ％になるようにポリメタクリル酸メチル樹脂と混合分散されたが、二酸化チタン粉体が全重量に対して０．０１〜２ｗｔ％の範囲内であれば先の実施形態に係るケーシング部品２４，２５ａ，２６ａと同様の効果を得ることができる。
【００３４】
（Ｂ）
先の実施の形態では、ケーシング２３ａの形成素材としてポリメタクリル酸メチル樹脂が採用されたが、他のアクリル系の樹脂が採用されてもよい。
（Ｃ）
先の実施の形態では、着色粉体として二酸化チタン粉体が採用されたが、他の着色粉体が採用されてもよい。
【００３５】
（Ｄ）
先の実施の形態では、着色ポリメタクリル酸メチル樹脂の調製工程において攪拌機が用いられたが、攪拌機に代えて、ビーズミル、ボールミル、ローラミル、ジェットミル等の粉砕分散器が採用されてもかまわない。なお、これらの粉砕分散器が採用される場合、二酸化チタン粉体の表面改質工程Ｓ１００が不要となることもあり得る。
【００３６】
（Ｅ）
先の実施の形態では、ペレット混合工程Ｓ１０４において改質粉体が全重量に対して１ｗｔ％となるようにポリメタクリル酸メチル樹脂のペレットと一次ペレットと混合されたが、二酸化チタン粉体とポリメタクリル酸メチル樹脂との混合工程Ｓ１０２において、改質粉体が全重量に対して１ｗｔ％となるように融解樹脂と混合してもよい。
【００３７】
（Ｆ）
先の実施の形態では、二酸化チタン粉体とポリメタクリル酸メチル樹脂との混合工程Ｓ１０２において、改質粉体が全重量に対して２０ｗｔ％になるように融解樹脂と混合されたが、改質粉体は、全重量に対して２０〜５０ｗｔ％になるように融解樹脂と混合されてもよい。
【００３８】
（Ｇ）
先の実施の形態では、壁掛け型の室内機に対して本願発明が採用されたが、本願発明は、天井吊下型や天井埋設型等の室内機に採用されてもよい。
（Ｈ）
先の実施の形態では、セパレート型の空気調和機に対して本願発明が採用されたが、本願発明は他の型の空気調和機（例えば、床置き型の空気調和機など）に対しても採用可能である。
【産業上の利用可能性】
【００３９】
本発明に係る空気調和機の外装部材は、高級感が必要な他の家庭用電気製品などにも適用できる。
【図面の簡単な説明】
【００４０】
【図１】空気調和機の全体図。
【図２】空気調和機の冷媒系統図。
【図３】本発明の実施の形態にかかる室内機の側面断面図。
【図４】本発明の実施の形態にかかる室内機ケーシングの構成の一部を表す斜視図。
【図５】空気調和機の室内機の製造方法を表すフローチャート。
【図６】室内機ケーシングの製造工程を表すフローチャート。
【符号の説明】
【００４１】
２４        底フレーム
２５ａ      前面グリル
２６ａ      フロントパネル
【図１】
2006206733.tif 000003
【図２】
2006206733.tif 000004
【図３】
2006206733.tif 000005
【図４】
2006206733.tif 000006
【図５】
2006206733.tif 000007
【図６】
2006206733.tif 000008